(57)【要約】      （修正有）【課題】キャピラリチュ−ブに係る構成を簡素化して、冷媒ガスの循環の安定化を図ることにより、冷媒ガス音及び配管振動を低減し、併せて部品点数の削減により作業性向上を図って、安価な空気調和機を提供する。【解決手段】ガス配管と液配管により互いに接続された室内ユニットおよび室外ユニットを含み、室外ユニットは、冷媒ガスを圧縮する圧縮機と、冷媒ガスの供給先を切り替える四方弁と、冷媒ガスを熱交換させる熱交換機と、冷凍サイクル内部を循環する冷媒ガスを減圧する膨張弁及びキャピラリチュ−ブを用いて構成された減圧装置とを備える。減圧装置は、キャピラリチュ−ブに相当する減圧用細管部１６と、減圧用細管部の両端に管径を拡大するように形成されたテーパ部１７と、テーパ部に連続して形成された冷媒ガス循環用の異径配管部１８、１９とが一体に形成された両側テ−パ管形の管路を含んで構成される。【選択図】  図１
2004354026.tif 000002
【特許請求の範囲】
【請求項１】
ガス配管と液配管により互いに接続された室内ユニットおよび室外ユニットを含み、前記室外ユニットは、冷媒ガスを圧縮する圧縮機と、冷媒ガスの供給先を切り替える四方弁と、冷媒ガスを熱交換させる熱交換機と、冷凍サイクル内部を循環する冷媒ガスを減圧する膨張弁及びキャピラリチュ−ブを用いて構成された減圧装置とを備えた空気調和機において、
前記減圧装置は、前記キャピラリチュ−ブに相当する減圧用細管部と、前記減圧用細管部の両端に管径を拡大するように形成されたテーパ部と、前記テーパ部に連続して形成された冷媒ガス循環用の異径配管部とが一体に形成された両側テ−パ管形の管路を含んで構成された空気調和機。
【請求項２】
前記両側テ−パ管形の管路を構成する前記異径配管部の前記膨張弁側の端部にテーパ部が設けられ、前記膨張弁が一体に形成された請求項１に記載の空気調和機。
【請求項３】
前記両側テ−パ管形の管路を構成する前記減圧細管部が直線状に配置された請求項１または２に記載の空気調和機。
【発明の詳細な説明】
【０００１】
【発明の属する技術分野】
本発明は、室内機と室外機とからなるヒ−トポンプ式空気調和機、特に室外機に減圧装置としてキャピラリチュ−ブ及び膨張弁を適用した空気調和機に関する。
【０００２】
【従来の技術】
従来の空気調和機における冷凍サイクルは、例えば特許文献１に記載されているように、図３に示すような基本構成を有する。この構成において、室内ユニット１と室外ユニット２は、液配管３とガス配管４で接続されている。室外ユニット２は、冷媒ガスを圧縮する圧縮機５と、冷媒ガスの供給先を切り替える四方弁６と、冷媒ガスを熱交換させる熱交換器７と、冷凍サイクル内部を循環する冷媒ガスを減圧する手段である膨張弁８およびキャピラリチューブ９を組み合わせた減圧装置とを備える。
【０００３】
膨張弁８及びキャピラリチューブ９を組み合わせた減圧装置では、キャピラリチューブ９に冷媒ガスを循環させる事により、冷媒ガスをある程度減圧し、主として膨張弁の開度により冷媒ガスの流量制御が行われる。
【０００４】
膨張弁８とキャピラリチューブ９を組み合わせた減圧装置は、配管径の異なる冷媒ガス循環用配管１１ａ、１１ｂ、１１ｃ、１１ｄを用いて接続され、各接続部はロウ付け部１０により接合されている。図４に、キャピラリチューブ９の周辺の構造を詳細に示す。キャピラリチューブ９は円形状に曲げ加工されている。その一端は、熱交換器７より引き出される配管１１ａと接続された配管１１ｂに接続されている。他端は、膨張弁８より引き出される配管１１ｄと接続された配管１１ｃと接続されている。キャピラリチューブ９と配管１１ｂ，１１ｃは、樹脂製バンド１２により結束固定されている。さらに、キャピラリチューブ９と配管１１ｂ，１１ｃは、コルテープ１３に挟み込みこまれ、外観を覆われた構成となっている。
【０００５】
【特許文献１】
特開平６−２９４５５１号公報
【０００６】
【発明が解決しようとする課題】
しかしながら、上記従来の構成では、図４に示すキャピラリチューブ９とその両端を接続する配管１１ｂ，１１ｃのロウ付け部１０に、以下のような問題があった。
【０００７】
図５に示すように、配管１１ｂ（１１ｃも同様）の先端には、テーパ部１４が形成されている。それにより、キャピラリチューブ９の先端を配管１１ｂに挿入しロウ付けを行った際、キャピラリチューブ９先端部の外周面と、配管１１ｂのテーパ部１４の内壁との間に間隙が生じる。そのため、冷媒ガスを循環させた際に冷媒ガスが前記間隙に滞留し、冷媒ガスの流れに乱れが生じて、配管重複部１５より冷媒ガス音や配管振動が発生する。
【０００８】
またキャピラリチューブを前後にした冷凍サイクルは、配管１１ｂ、１１ｃ、１１ｄを接続した複数の部品から構成されているため、ロウ付け加工などの組立工数が多く、作業性が良好ではなかった。
【０００９】
さらに、上述のような配管振動を防止するために、キャピラリチューブ９と配管１１ｂ、１１ｃを固定する樹脂製バンド１２及び、配管重複部１５からの冷媒ガス音を低減させるためのコルテープ１３を追加することにより、部品点数が増加してコストが高騰する原因となっていた。
【００１０】
本発明は、このような従来の課題を解決するものであり、キャピラリチュ−ブに係る構成を簡素化して、冷媒ガスの循環の安定化を図ることにより、冷媒ガス音及び配管振動を低減し、併せて部品点数の削減により作業性向上を図って、安価な空気調和機を提供することを目的とする。
【００１１】
【課題を解決するための手段】
本発明の空気調和機は、ガス配管と液配管により互いに接続された室内ユニットおよび室外ユニットを含み、前記室外ユニットは、冷媒ガスを圧縮する圧縮機と、冷媒ガスの供給先を切り替える四方弁と、冷媒ガスを熱交換させる熱交換機と、冷凍サイクル内部を循環する冷媒ガスを減圧する膨張弁及びキャピラリチュ−ブを用いて構成された減圧装置とを備える。上記課題を解決するために、前記減圧装置は、前記キャピラリチュ−ブに相当する減圧用細管部と、前記減圧用細管部の両端に管径を拡大するように形成されたテーパ部と、前記テーパ部に連続して形成された冷媒ガス循環用の異径配管部とが一体に形成された両側テ−パ管形の管路を含んで構成される。
【００１２】
【発明の実施の形態】
上記構成の本発明の空気調和機によれば、従来例のキャピラリチュ−ブと冷媒ガス循環用の異径配管がテーパ部を介して一体となった両側テ−パ管形の管路を構成することにより、キャピラリチューブの両端と異径配管のロウ付け部が不要となる。その結果、冷媒ガスの循環が円滑になって冷媒ガス音および配管振動の低減が図られるとともに、冷凍サイクル構成を簡素化することができる。
【００１３】
好ましくは、両側テ−パ管形の管路を構成する異径配管部の膨張弁側の端部にテーパ部が設けられ、膨張弁が一体に形成された構成とする。
【００１４】
また、両側テ−パ管形の管路における減圧細管部が、直線状に配置された構成とすることもできる。それにより、更に減圧細管部における配管抵抗を軽減し、冷媒ガスの流れを円滑にするとともに、室外機の冷凍サイクルスペ−スの小型化を図ることができる。
【００１５】
以下本発明の実施の形態について、図面を参照して具体的に説明する。
【００１６】
（実施の形態１）
図１は、実施の形態１における空気調和機の減圧装置を構成する両側テ−パ管形の管路を示す図である。本実施の形態の空気調和機は、図３に示した従来例と同様の基本構成を有する。本実施の形態における従来例との相違点は、従来例におけるキャピラリチュ−ブが、本実施の形態では減圧用細管部１６として両側テ−パ管形の管路の一部を形成していることである。
【００１７】
図１に示される円形状に曲げ加工された減圧用細管部１６は、キャピラリチュ−ブと同様の機能を有する。減圧用細管部１６の両端には、径を拡大させるテ−パ部１７が形成されている。テーパ部１７に連続して、冷媒ガス循環用の異径配管部１８、１９が一体的に形成されている。
【００１８】
異径配管部１９は、図３に示した熱交換器７より引き出される配管１１ａと接続される。異径配管部１８の側には、図３に示した膨張弁８が接続される。そのため、異径配管部１８にはテーパ部２０が設けられ、テーパ部２０に連続して径大の接続配管部２１が一体に形成されている。したがって異径配管部１８の側では、図４に示した配管１１ｃと、膨張弁８より直接引き出された配管１１ｄが、連続して一体に形成された構造を有する。
【００１９】
以上のように、減圧用細管部１６、その両端のテ−パ部１７、異径配管部１８、１９、テ−パ部２０および接続配管部２１を含む、両側テ−パ管形状の管路が構成されている。減圧用細管部１６の長さおよび径は、自由に調整することができる。
【００２０】
本実施の形態の構造によれば、減圧用細管部１６、その両端のテ−パ部１７、および異径配管部１８、１９が一体であるため、従来例のようなキャピラリチューブとその両端を接続する異径配管のロウ付け部が不要となる。したがって、キャピラリチューブの両端と異径配管の接続部に間隙が形成されることはなく、冷媒ガスの循環が円滑になる。その結果、冷媒ガス音、および配管振動が低減されるとともに、部品点数の削減により作業性向上とコスト低減が可能となる。
【００２１】
なお、テーパ部２０および接続配管部２１を一体に形成せず、減圧用細管部１６、その両端のテ−パ部１７および異径配管部１８、１９のみを一体に形成した場合であっても、実用的には十分に上述の効果を奏することが可能である。
【００２２】
（実施の形態２）
図２は、実施の形態２における空気調和機の減圧装置を構成する両側テ−パ管形の管路を示す。本実施の形態の空気調和機は、図３に示した従来例と同様の基本構成を有し、また、実施の形態１と同様、従来例におけるキャピラリチュ−ブ９が、減圧用細管部１６として両側テ−パ管形の管路の一部を形成している。
【００２３】
本実施の形態が実施の形態１と相違する点は、両側テ−パ管形の管路の減圧用細管部１６が、直線的に配置されていることである。減圧用細管部１６の両端のテ−パ部１７、および異径配管部１８、１９も直線状に配置されている。
【００２４】
この構成によれば、冷媒ガスは異径配管部１９よりテーパ部１７に沿って減圧用細管部１６へ流れこみ、さらにテーパ部１７に沿って異径配管部１８に円滑に循環し、異径配管間に発生する冷媒ガスの滞留及び乱れを防止し、配管振動及び冷媒ガス音を低減することができる。したがって、音・振動対策用部品の使用が不要となりコスト低減を図れる。
【００２５】
また減圧用細管部１６の長さ調節、配管径調節及び両者を同時に調節することにより、効果的な減圧制御を行うことが可能である。
【００２６】
さらに両側テ−パ管形状の管路と膨張弁を一体成形する事により、冷凍サイクル構成の簡素化を図り、組立時の作業工数を削減し、作業性を向上することができる。
【００２７】
【発明の効果】
本発明の空気調和機によれば、キャピラリチュ−ブを両端にテーパ部を設けた減圧用細管とし、テーパ部に連続して冷媒ガス循環用の異径配管部を形成した両側テ−パ管形の管路を含んで減圧装置を構成することにより、冷凍サイクル構成を簡素化することができる。それにより、冷媒ガスの循環が安定化し、冷媒ガス音及び配管振動が低減されるとともに、部品点数の削減により組み立ての作業性が向上し、安価な空気調和機を提供することが可能となる。
【図面の簡単な説明】
【図１】実施の形態１における空気調和機の減圧装置を構成する両側テ−パ管形の管路を示す平面図
【図２】実施の形態２における空気調和機の減圧装置を構成する両側テ−パ管形の管路を示す平面図
【図３】従来例の空気調和機の冷凍サイクル系統図
【図４】従来例の空気調和機におけるキャピラリチュ−ブを搭載した減圧装置の拡大平面図
【図５】図４におけるキャピラリチュ−ブと冷媒ガス循環用異径配管の接続部を示す断面図
【符号の説明】
１  室内ユニット
２  室外ユニット
３  液配管
４  ガス配管
５  圧縮機
６  四方弁
７  熱交換器
８  膨張弁
９  キャピラリチュ−ブ
１０  ロウ付け部
１１ａ，１１ｂ，１１ｃ，１１ｄ  冷媒ガス循環用配管
１２  バンド
１３  コルテ−プ
１４  テーパ部
１５  配管重複部
１６  減圧用細管部
１７  テーパ部
１８、１９  異径配管部
２０  テーパ部
２１  接続配管部
【図１】
2004354026.tif 000003
【図２】
2004354026.tif 000004
【図３】
2004354026.tif 000005
【図４】
2004354026.tif 000006
【図５】
2004354026.tif 000007